(57)【要約】      （修正有）                                                              【課題】ＡＣ電源にＡＣ／ＤＣコンバータを接続し、このＡＣ／ＤＣコンバータに自己発振タイプの高周波回路を接続し、この高周波回路に高電圧回路を接続し、この高電圧回路にオゾン発生体を接続したオゾン発生装置を提供する。【解決手段】ＡＣ／ＤＣコンバータが出力電圧を監視している結果、入力電圧が変動してもオゾン発生体（放電電極）に印可される電圧は変動しないため、発生するオゾン濃度は変化しない。よって、従来のものに比べて、使用しやすいとともにその使用範囲は拡大するものである。また、前記ＡＣ／ＤＣコンバータの代わりにＤＣ／ＤＣコンバータを接続すれば、上記効果を発揮することができる以外に、電源としてあらゆる直流電源を使用することができ、このオゾン発生装置の使用範囲は拡大する。 【選択図】図１
0003103929.tif 000002
【実用新案登録請求の範囲】
【請求項１】
ＡＣ電源にＡＣ／ＤＣコンバータを接続し、このＡＣ／ＤＣコンバータに自己発振タイプの高周波回路を接続し、この高周波回路に高電圧回路を接続し、この高電圧回路にオゾン発生体を接続したことを特徴とするオゾン発生装置。
【請求項２】
請求項１のオゾン発生装置において、前記ＡＣ／ＤＣコンバータにＤＣ出力電圧可変手段を設けたことを特徴とするオゾン発生装置。
【請求項３】
請求項２のオゾン発生装置において、前記ＡＣ／ＤＣコンバータとＤＣ出力電圧可変手段との間にＶＲ線断線セフティ回路を介在させたことを特徴とするオゾン発生装置。
【請求項４】
ＤＣ電源にＤＣ／ＤＣコンバータを接続し、このＤＣ／ＤＣコンバータに自己発振タイプの高周波回路を接続し、この高周波回路に高電圧回路を接続し、この高電圧回路にオゾン発生体を接続したことを特徴とするオゾン発生装置。
【請求項５】
請求項４のオゾン発生装置において、前記ＤＣ／ＤＣコンバータにＤＣ出力電圧可変手段を設けたことを特徴とするオゾン発生装置。
【請求項６】
請求項５のオゾン発生装置において、前記ＤＣ／ＤＣコンバータとＤＣ出力電圧可変手段との間にＶＲ線断線セフティ回路を介在させたことを特徴とするオゾン発生装置。
【考案の詳細な説明】
【技術分野】
【０００１】
この考案はオゾン発生装置に関し、日常生活におけるオゾンの発生源として汎用的に使用されるものである。
【背景技術】
【０００２】
従来におけるこの種のオゾン発生装置は、ＡＣ電源（ＡＣ１００Ｖ）の電圧によってダイレクトに平滑発振させ、高電圧回路によって高電圧に変圧させ、この高電圧をオゾン発生体（放電電極）に印可させることによって、空気中の酸素をオゾンに変化させていた。
【０００３】
【特許文献１】実開平０５−０６９１２６
【特許文献２】実開平０６−０７６３３９
【特許文献３】実開平０５−１２７９０４
【特許文献４】特開平０７−２４７１０３
【考案の開示】
【考案が解決しようとする課題】
【０００４】
しかしながら、かかる従来のオゾン発生装置にあっては、ＡＣ電源（ＡＣ１００Ｖ）の電圧によってダイレクトに平滑発振させていたため、入力電圧が変動するとオゾン発生体（放電電極）に印可される電圧も変動して、発生するオゾン濃度が変化する結果、オゾン発生装置としての使用しにくく、その使用範囲は狭くならざるをえないという不都合を有した。
【０００５】
この考案の課題はかかる不都合を解消することである。
【課題を解決するための手段】
【０００６】
上記課題を達成するために、この考案に係るはオゾン発生装置においては、ＡＣ電源にＡＣ／ＤＣコンバータを接続し、このＡＣ／ＤＣコンバータに自己発振タイプの高周波回路を接続し、この高周波回路に高電圧回路を接続し、この高電圧回路にオゾン発生体を接続したものである。
【０００７】
なお、前記ＡＣ／ＤＣコンバータにＤＣ出力電圧可変手段を設けることもできる。
【０００８】
更に、前記ＡＣ／ＤＣコンバータとＤＣ出力電圧可変手段との間にＶＲ線断線セフティ回路を介在させることもできる。
【０００９】
また、電源としてＤＣ電源を使用し、前記ＡＣ／ＤＣコンバータの代わりにＤＣ／ＤＣコンバータを接続することができる。
【考案の効果】
【００１０】
この考案に係るはオゾン発生装置は、ＡＣ電源にＡＣ／ＤＣコンバータを接続し、このＡＣ／ＤＣコンバータに自己発振タイプの高周波回路を接続し、この高周波回路に高電圧回路を接続し、この高電圧回路にオゾン発生体を接続したため、ＡＣ／ＤＣコンバータが出力電圧を監視している結果、入力電圧が変動してもオゾン発生体（放電電極）に印可される電圧は変動しないため、発生するオゾン濃度は変化しないものである。
【００１１】
よって、このオゾン発生装置にあっては、従来のものに比べて、使用しやすいとともにその使用範囲は拡大するものである。
【００１２】
なお、前記ＡＣ／ＤＣコンバータにＤＣ出力電圧可変手段を設ければ、リニアにオゾン濃度を可変できるため、発生するオゾン濃度を調節しやすく、この結果、その使用範囲はより一層拡大するものである。
【００１３】
更に、前記ＡＣ／ＤＣコンバータとＤＣ出力電圧可変手段との間にＶＲ線断線セフティ回路を介在させれば、このセフティ回路の作用によって外付けのＶＲリード線が断線した場合又はショートした場合に出力電圧が最小になるためオゾンの発生の暴走を無くすことができる。
【００１４】
また、電源としてＤＣ電源を使用し、前記ＡＣ／ＤＣコンバータの代わりにＤＣ／ＤＣコンバータを接続すれば、ＡＣ／ＤＣコンバータを接続した時の効果を発揮するすることができる以外に、電源としてあらゆる直流電源を使用することができ、このオゾン発生装置の使用範囲は拡大する。
【実施例】
【００１５】
図１はこの考案に係るオゾン発生装置のブロック回路図、図２は、ＡＣ／ＤＣコンバータでの変換前の交流の波形を示したグラフ、図３は同変換後の直流の波形を示したグラフ、図４は、自己発振タイプの高周波回路による高周波発振後の電流の波形を示したグラフ、オゾン発生装置の温度上昇を示したグラフであり、高電圧回路に正弦曲線の共振回路を内蔵した場合と内蔵しない場合の温度上昇を比較している。又、図６はオゾン発生装置から発生するオゾン量を示したグラフであり、高電圧回路に正弦曲線の共振回路を内蔵した場合と内蔵しない場合の温度上昇を比較している。図７は、前記共振回路を内蔵した場合の高電圧回路による変圧後の電流の波形を示したグラフであり、図８は、前記共振回路を内蔵しない場合の高電圧回路による変圧後の電流の波形を示したグラフである。
【００１６】
図１において、Ａはオゾン発生装置、10はそのＡＣ電源である。このＡＣ電源10として通常、１００Ｖの交流が使用される。
【００１７】
20は温度ヒューズである。この温度ヒューズ20は自己復帰タイプであり、オゾン発生装置Ａ本体の周辺温度が所定値（略８０°Ｃ）以上に上昇した場合に電流の流れを遮断して、高電圧トランスやＦＥＴのレアショートを防止している。
【００１８】
また、30はＡＣ／ＤＣコンバータであり、前記ＡＣ電源10にこの温度ヒューズ20を介して接続されている。このＡＣ／ＤＣコンバータ30によって前記ＡＣ電源10からの交流を直流に変換させる。図２は変換前の交流の波形であり、図３は変換後の直流の波形である。このように、ＡＣ／ＤＣコンバータ30を設置すると図６に示すように、オゾン発生体に供給される電圧の波形が正弦曲線になるため、負の電圧も効率良く使用しているためオゾン発生量に変動がなくなり安定したオゾン量を供給することができる。
【００１９】
40はＤＣ出力可変部であり、前記ＡＣ／ＤＣコンバータ30に設置されている。このＤＣ出力可変部40は前記ＡＣ／ＤＣコンバータ30によって変換された直流の出力電圧を可変するためのものである。この可変操作は可変ボリューム31を操作することによって行われる。なお、32はＶＲ（可変ボリューム）線断線セーフティ回路であり、前記ＤＣ出力可変部40と前記可変ボリューム31との間に接続されており、外付けのＶＲリード線が断線した場合又はショートした場合に出力電圧を最小にしてオゾンの発生の暴走を無くしている。
【００２０】
50は自己発振タイプの高周波回路であり、前記ＡＣ／ＤＣコンバータ30のＤＣ出力側に接続されている。この高周波回路50は前記ＡＣ／ＤＣコンバータ30から出力されたＤＣを高周波発振させる。また、この高周波回路50はパルス幅変調方式（パルス幅変調ＩＣ）による回路を採用したため、安定した発振および出力がショートオープン時の制御も可能になった。このパルス幅変調方式による回路は、異常電流がオゾン発生体に流れたときにパルス変調をしてオゾン発生を停止することができる。なお、この高周波回路50による高周波発振後の電流の波形は図４に示したとおりである。
【００２１】
60は高電圧回路であり、前記高周波回路50の出力側に接続されている。この高電圧回路60によって高周波発振された直流は高電圧（約３ＫＶ）に変圧される。この高電圧回路60には正弦曲線の共振回路61が内蔵されているため、ノイズの少ない波形にして、図５に示すように、オゾン発生時における後記オゾン発生体70の温度上昇を防止することができる。
【００２２】
この実施例のように、正弦曲線の共振回路61を設けると、図５に示すように、温度上昇を抑えることができた。なお、図７は正弦曲線の共振回路を内蔵した場合の高電圧回路60による変圧後の電流の波形、図８は正弦曲線の共振回路を内蔵しない場合の高電圧回路60による変圧後の電流の波形である。
【００２３】
70はオゾン発生体であり、前記高電圧回路60の出力側に接続されている。このオゾン発生体（放電電極）70に高電圧を印可させることによって、空気中の酸素をオゾンに変化させる。
【００２４】
また、図面では示さないが、電源としてＤＣ電源を使用し、前記ＡＣ／ＤＣコンバータ30の代わりにＤＣ／ＤＣコンバータを接続すれば、電源としてあらゆる直流電源を使用することができ、このオゾン発生装置の使用範囲は拡大する。
【産業上の利用可能性】
【００２５】
この考案に係るオゾン発生装置は、入力電圧が変動しても発生するオゾン濃度は変化しないため、簡易にコントロールできるオゾン発生装置として利用することができる。
【図面の簡単な説明】
【００２６】
【図１】この考案に係るオゾン発生装置のブロック回路図である。
【図２】ＡＣ／ＤＣコンバータでの変換前の交流の波形を示したグラフである。
【図３】同変換後の直流の波形を示したグラフである。
【図４】自己発振タイプの高周波回路による高周波発振後の電流の波形を示したグラフである。
【図５】オゾン発生装置の温度上昇を示したグラフであり、高電圧回路に正弦曲線の共振回路を内蔵した場合と内蔵しない場合の温度上昇を比較している。
【図６】ＡＣ／ＤＣコンバータを使用した場合のオゾン発生体に供給される電圧の波形を示したグラフである。
【図７】正弦曲線の共振回路を内蔵した場合の高電圧回路による変圧後の電流の波形を示したグラフである。
【図８】正弦曲線の共振回路を内蔵しない場合の高電圧回路による変圧後の電流の波形を示したグラフである。
【符号の説明】
【００２７】
Ａ  …  オゾン発生装置
10  …  ＡＣ電源
20  …  温度ヒューズ
30  …  ＡＣ／ＤＣコンバータ
40  …  ＤＣ出力可変部
32  …  ＶＲ（可変ボリューム）線断線セーフティ回路
50  …  自己発振タイプの高周波回路
60  …  高電圧回路
70  …  オゾン発生体
【図１】
0003103929.tif 000003
【図２】
0003103929.tif 000004
【図３】
0003103929.tif 000005
【図４】
0003103929.tif 000006
【図５】
0003103929.tif 000007
【図６】
0003103929.tif 000008
【図７】
0003103929.tif 000009
【図８】
0003103929.tif 000010